(57)【要約】【課題】透明な樹脂材で形成したキャップ本体４０に挿着した金輪７の挿着部７ａが透けて見えた場合でも、見栄えが悪くならない構造の金輪付きキャップ１を提供する。【解決手段】金輪７の挿着部７ａの外面に、軸心に沿った方向における互いの間隔が０．３ｍｍ〜０．５ｍｍである円環状の突部７ｃを複数形成し、キャップ本体４０の外面における金輪７の挿着部７ａが挿入される箇所に、表示部１１と隙間部１２とで構成する印刷部１０を設け、隙間部１２から金輪７の挿着部７ａの突部７ｃを視認可能とする。【選択図】図５
2012045869.tif 000002
【特許請求の範囲】
【請求項１】
金輪に形成した挿着部を透明な樹脂材からなるキャップ本体の開口部に、透明な接着剤により固着して装着した金輪付きキャップにおいて、前記金輪の挿着部の外面に、軸心に沿った方向における互いの間隔が０．３ｍｍ以上０．５ｍｍ以下である円環状の突部を複数形成し、前記キャップ本体の外面における前記金輪の挿着部が挿入される箇所に、表示部と隙間部とで構成する印刷部を設け、前記隙間部から前記金輪の挿着部の突部を視認可能としたことを特徴とする金輪付きキャップ。
【発明の詳細な説明】
【技術分野】
【０００１】
本発明は、金輪を備えたキャップに関する。
【背景技術】
【０００２】
従来より、キャップ本体を樹脂材で成形することは一般的であり、そのキャップ本体の開口部に金輪を装着することで、装飾性を向上させたり、開口部の強度を向上させたりする構造もよく知られている。尚、金輪をキャップ本体の開口部に装着する場合には、キャップから筆記具本体を抜き差しする時における金輪の脱落を防止するために、実開昭６３−４７１８６号公報に開示されているように、接着剤を用いる方法が採用されることが多い。
【０００３】
ところで、キャップ本体を樹脂材で形成する場合には、キャップ本体色の選択肢として透明もあり、また透明は内部機構が見える点から好まれてもいる。しかしながら透明のキャップ本体では、前述したキャップ本体の開口部に金輪を装着する際に、金輪の挿着部をキャップ本体の内方に挿入させることから、挿着部が透けて見栄えを悪くするという問題が生じてしまった。特に、実開昭６３−４７１８６号公報にあるような、金輪の挿着部に接着強度を向上させるために設けた凹凸部は外から帯状に見えてしまい、また金輪とキャプ本体とを接着する接着剤に透明な接着剤を用いた場合においても、挿着部の凹凸部の凹部が広いと凹部に溜まった接着剤の中に気泡が入りやすく、接着剤のムラや気泡が目立ち見栄えを悪くさせてしまう場合があった。尚、金輪の挿着部を目立たさないようにするために、キャップ本体への金輪の挿着部の挿入代を短くした場合には、接着強度が減少して金輪がキャップ本体から脱落してしまう虞がある。
【先行技術文献】
【特許文献】
【０００４】
【特許文献１】実開昭６３−４７１８６号公報
【発明の開示】
【発明が解決しようとする課題】
【０００５】
本発明はこうした問題を鑑みて、透明な樹脂材で形成したキャップ本体に挿着した金輪の挿着部が透けて見えた場合でも、見栄えが悪くならない構造の金輪付きキャップを提供することを目的とした。
【課題を解決するための手段】
【０００６】
本発明は、
「金輪に形成した挿着部を透明な樹脂材からなるキャップ本体の開口部に、透明な接着剤により固着して装着した金輪付きキャップにおいて、前記金輪の挿着部の外面に、軸心に沿った方向における互いの間隔が０．３ｍｍ以上０．５ｍｍ以下である円環状の突部を複数形成し、前記キャップ本体の外面における前記金輪の挿着部が挿入される箇所に、表示部と隙間部とで構成する印刷部を設け、前記隙間部から前記金輪の挿着部の突部を視認可能としたことを特徴とする金輪付きキャップ。」である。
【０００７】
本発明における印刷部の形態は、表示部を文字や模様とすると共に、その文字や模様の隙間を隙間部として、金輪の挿着部を隙間から視認できるものであればよい。また本発明では、複数の突部の間隔を０．３ｍｍ以上０．５ｍｍ以下とすることが肝要である。突部と突部との間隔が０．３ｍｍより細かい場合には、突部の加工に時間が掛かりコストアップにつながることに加え、突部の底部側の隙間が詰まっていることから、入り込んだ接着剤と気泡とで接着ムラが生じてしまう虞があり、突部と突部との間隔が０．５ｍｍより大きい場合には、加工時間は短縮できるものの、突部の頂部側の隙間が広くなることから、接着剤の中に気泡が入りやすくなってしまう。
【発明の効果】
【０００８】
本発明では、透明なキャップ本体の外面に印刷部を設けることにより、金輪の挿着部が見えにくくなると共に、キャップ本体の表面上に存在する印刷部と、キャップ本体の裏側にて複数の突部で構成される横縞模様とによって、立体的な装飾構造が得られるものとなった。
【図面の簡単な説明】
【０００９】
【図１】図１は、本実施例の金輪付きキャップを用いた万年筆である。
【図２】図２は、本実施例のキャップの断面図である。
【図３】図３は、キャップ本体に金輪を装着する状態を示す図である。
【図４】図４は、金輪の一部を拡大した断面図である。
【図５】図５は、キャップ本体に金輪を装着した状態を示す図である。
【図６】図６は、比較例の図である。
【発明を実施するための形態】
【実施例】
【００１０】
本実施例の説明においては、キャップに金輪を備えた万年筆について説明を行うが、本発明は以下の実施例に限定されるものではない。また図中の同じ部材、同じ部品については、同じ符号としてある。
【００１１】
図１を用いて本実施例の万年筆について説明を行う。万年筆１は、先端にペン先２を設けた万年筆本体３とキャップ４とで構成してあり、軸筒３０の前方部３１に対してキャップ４を着脱自在としてある。またキャップ４の側面にはクリップ５を配し、上端には頭冠６を配してある。またキャップ本体４０の開口部４１側には、金輪７を装着してある。尚、本実施例におけるキャップ本体４０は射出成形により形成した透明な樹脂材からなり、金輪７は真鍮にクロームメッキを施したものである。
【００１２】
次に、図２を用いてキャップについて説明を行う。キャップ４は、キャップ本体４０の内部に中子８を備えており、中子８の上部に形成した雌螺子部８ａに前記頭冠６の下方に形成した雄螺子部６ａを螺合させて固定すると共に、前記クリップ５の脚部５ａを頭冠６のフランジ部６ｂとキャップ本体４０の上端部４２との間に挟持して固定してある。尚、中子８は、図１に示した軸筒本体３０の前方部３１に当接して気密性を確保する。また金輪７は、キャップ本体４０の開口部４１側の内面を薄肉に形成した挿着受部４１ａに挿着部７ａを挿し込み、金輪７の下方に形成したフランジ部７ｂをキャップ本体４０の下面に当接させている。この状態でキャップ本体４０の内面と金輪７の内面とは一致する。
【００１３】
次に、図３を用いてキャップ本体４０に金輪７を装着するときの説明を行う。本実施例では、キャップ本体４０の挿着受部４１ａに透明な接着剤９を塗布して、金輪７の挿着部７ａを挿し込むことで、キャップ本体４０の挿着受部４１ａと金輪７の挿着部７ａとを接着剤９で固着させる。
【００１４】
また図４に示すように、本実施例における金輪７の挿着部７ａの外面に、複数の突部７ｃを円環状に且つ軸心に沿った方向に等間隔で形成することにより、図３に示した接着剤９を突部７ｃ間の隙間７ｄに入り込ませて接着を強固なものとできる。尚、本実施例では、突部の高さＨを０．１ｍｍとし、突部７ｃの頂部７ｅに形成した平坦面７ｆの軸心に沿った方向の巾Ｗ１を０．１ｍｍとし、突部７ｃの底部７ｇの軸心に沿った方向の巾Ｗ２を０．２ｍｍとし、各突部７ｃの間隔Ｐを０．４５ｍｍとした。また図３に示したように、挿着部７ａがキャップ本体４０の挿着受部４１ａに差し込まれる長さＬは、充分な接着強度を得るために本実施例では５ｍｍとした。
【００１５】
次に図５はキャップ本体４０に金輪７を装着した状態の図であり、キャップ本体の外面における金輪７の挿着部７ａが挿入した箇所に印刷部１０を設けた状態の図である。本実施例における印刷部１０は、「ＡＢＣＤＥ」という文字の印刷部１１ａおよび該印刷部１１ａの上下に設けた線の印刷部１１ｂ，１１ｃとからなる表示部１１と、各印刷部の隙間に構成される隙間部１２とで構成してある。また図５に示すように本実施例のキャップ４は、隙間部１２から挿着部７ａに形成した突部７ｃが視認でき、キャップ本体４０の表面上に存在する印刷部１０と、キャップ本体４０の裏側にて複数の突部７ｃで構成される横縞模様とによって、立体的な装飾構造を得ることができた。また、複数の突部７ｃの間隔が狭く等間隔になっていることから、接着剤９がキャップ本体４０の挿着受部４１ａと金輪７の挿着部７ａとの間に馴染みやすく気泡が入りにくくなり（図３参照）、接着剤のムラや気泡により見栄えを低下させることがなかった。これに対し従来の金輪７０では、図６に示すように、挿着受部４１ａと挿着部７０ａとの間に気泡Ｋが入って見栄えを悪くしてしまった。
【産業上の利用可能性】
【００１６】
本願発明による金輪付きキャップは、筆記具以外にも、化粧具や塗布具等の構造として使用することが可能である。
【符号の説明】
【００１７】
１…万年筆、２…ペン先、
３…万年筆本体、３０…軸筒、３１…前方部、
４…キャップ、４０…キャップ本体、４１…開口部、４１ａ…挿着受部、
４２…上端部、
５…クリップ、５ａ…脚部、
６…頭冠、６ａ…雄螺子部、６ｂ…フランジ部、
７…金輪、７ａ…挿着部、７ｂ…フランジ部、７ｃ…突部、７ｄ…隙間、
７ｅ…頂部、７ｆ…平坦面、７ｇ…底部、７ｈ…影、
Ｈ…高さ、Ｗ１…巾、Ｗ２…巾、Ｐ…間隔、Ｌ…長さ、
８…中子、８ａ…雌螺子部、
９…接着剤、
１０…印刷部、１１…表示部、１１ａ，１１ｂ，１１ｃ…印刷部、
１２…隙間部、Ｋ…気泡。
【図１】
2012045869.tif 000003
【図２】
2012045869.tif 000004
【図３】
2012045869.tif 000005
【図４】
2012045869.tif 000006
【図５】
2012045869.tif 000007
【図６】
2012045869.tif 000008